(57)【要約】      （修正有）【課題】  空気処理装置のケーシングのフロントパネルをフラット化する際に、吹出口の開閉機構を小型化可能な構成にするとともに、インテリアとの一体感を出しやすいデザインを実現する。【解決手段】  ケーシング（5）内に空気を吸い込む吸込口（6）とケーシング（5）内で処理した空気を吹き出す吹出口（7）とを有するフロントパネル（8）と、吹出口（7）を開閉する吹出口開閉機構（40）とを備えた空気処理装置において、吹出口開閉機構（40）を、運転停止時にフロントパネル（8）に沿って吹出口（7）を覆う吹出口用カバーシート（41）と、運転時に該カバーシート（41）を巻き取って吹出口（7）を開口する巻き取り機構（42）とを備えた構成とする。【選択図】  図４
2006234335.tif 000002
【特許請求の範囲】
【請求項１】
ケーシング（5）内に空気を吸い込む吸込口（6）とケーシング（5）内で処理した空気を吹き出す吹出口（7）とを有するパネル部材（8）と、上記吹出口（7）を開閉する吹出口開閉機構（40）とを備えた空気処理装置であって、
吹出口開閉機構（40）は、運転停止時に上記パネル部材（8）に沿って吹出口（7）を覆う吹出口用カバーシート（41）と、運転時に該カバーシート（41）を巻き取って吹出口（7）を開口する巻き取り機構（42）とを備えていることを特徴とする空気処理装置。
【請求項２】
請求項１において、
吹出口開閉機構（40）は、運転停止時にカバーシート（41）で吹出口（7）を覆った状態で、該カバーシート（41）にテンションを与えるテンション付与機構（46）を有していることを特徴とする空気処理装置。
【請求項３】
請求項２において、
吹出口開閉機構（40）は、カバーシート（41）の一端を保持するとともに該カバーシート（41）を巻き取り可能で且つ吹出口（7）の一の側縁部に配置されたシートローラ（43）と、カバーシート（41）の他端を保持するとともにパネル部材（8）上で吹出口（7）に沿って可動に構成された保持部材（44）と、該保持部材（44）をパネル部材（8）に沿って移動させる駆動機構（45）とを備えていることを特徴とする空気処理装置。
【請求項４】
請求項１乃至３の何れか１つにおいて、
吸込口（6）を覆う吸込口用カバーシート（21，31）と、該カバーシート（21，31）によって吸込口（6）を開閉する吸込口開閉機構（20，30）とを備えていることを特徴とする空気処理装置。
【請求項５】
請求項４において、
吸込口開閉機構（20）は、ケーシング（5）のパネル部材（8）に対して開閉する開閉板（22）を備え、該開閉板（22）の表面に吸込口用カバーシート（21）が貼られていることを特徴とする空気処理装置。
【請求項６】
請求項４において、
吸込口用カバーシート（31）が吸込口（6）を覆うように張架され、
吸込口開閉機構（30）は、該カバーシート（31）の一部をパネル部材（8）の前方に突出させることにより該カバーシート（31）と吸込口（6）との間に空気の導入口を形成する押出機構（32）を備えていることを特徴とする空気処理装置。
【発明の詳細な説明】
【技術分野】
【０００１】
本発明は、ケーシング内に空気を吸い込む吸込口と、ケーシング内で処理した空気を吹き出す吹出口を備えた空気処理装置に関し、特に、吹出口の構造に関するものである。
【背景技術】
【０００２】
従来より、この種の空気処理装置として、ケーシングのフロントパネルに吸込口が設けられる一方、吸込口の下方に、ケーシング内で処理した調和空気を吹き出す吹出口が設けられた壁掛け型の空気調和装置がある（例えば、特許文献１参照）。この特許文献１の装置では、吹出口には風向調整用の２枚のフラップが設けられている。これらのフラップは、空気調和装置の運転停止時には吹出口を閉じる状態になる一方、運転時には調和空気の吹出方向へ沿った向きに動いて吹出口を開口する。
【特許文献１】特開２００２−２９５８８８号公報
【発明の開示】
【発明が解決しようとする課題】
【０００３】
ところで、最近では、空気調和装置の意匠性の向上のため、運転停止時に吹出口のフラップを覆い隠すプラスチック製の吹出口カバーを設け、フロントパネルのフラット化を図ったものがある。この吹出口カバーは、運転時にはフラップの動作の邪魔にならない位置へスライドするように構成されている。
【０００４】
しかし、上記構成では、吹出口の開口面積を大きくしようとすると吹出口カバーも大きくなり、吹出口カバーの駆動機構が大型になってしまうため、ケーシングをシンプルでコンパクトに構成するのが困難であった。また、フロントパネルのフラット化を実現しても、フロントパネルがプラスチック製であり、部屋の壁（壁紙）との質感の差が大きく、インテリアとの一体感を出しにくい問題があった。
【０００５】
本発明は、かかる点に鑑みてなされたものであり、その目的は、空気処理装置のケーシングのフロントパネルをフラット化する際に、吹出口の開閉機構を小型化可能な構成にするとともに、インテリアとの一体感を出しやすいデザインを実現することである。
【課題を解決するための手段】
【０００６】
第１の発明は、ケーシング（5）内に空気を吸い込む吸込口（6）とケーシング（5）内で処理した空気を吹き出す吹出口（7）とを有するパネル部材（8）と、上記吹出口（7）を開閉する吹出口開閉機構（40）とを備えた空気処理装置を前提としている。
【０００７】
そして、この空気処理装置は、吹出口開閉機構（40）が、運転停止時に上記パネル部材（8）に沿って吹出口（7）を覆う吹出口用カバーシート（41）と、運転時に該カバーシート（41）を巻き取って吹出口（7）を開口する巻き取り機構（42）とを備えていることを特徴としている。
【０００８】
この第１の発明では、空気処理装置の運転停止時には、吹出口用カバーシート（41）により上記吹出口（7）をパネル部材（8）に沿って覆う状態にすることにより、吹出口（7）が塞がれた状態となる。一方、空気処理装置の運転時には、巻き取り機構（42）によりカバーシート（41）を巻き取ることにより、吹出口（7）が開口した状態となり、ケーシング（5）内で処理した空気を吹き出すことが可能となる。
【０００９】
第２の発明は、第１の発明において、吹出口開閉機構（40）が、運転停止時にカバーシート（41）で吹出口（7）を覆った状態で、該カバーシート（41）にテンションを与えるテンション付与機構（46）を有していることを特徴としている。
【００１０】
この第２の発明では、テンション付与機構（46）を設けたことにより、運転停止時に吹出口（7）を覆うカバーシート（41）がたるむことがなく、ピンと張った状態に維持される。
【００１１】
第３の発明は、第２の発明において、吹出口開閉機構（40）が、カバーシート（41）の一端を保持するとともに該カバーシート（41）を巻き取り可能で且つ吹出口（7）の一の側縁部に配置されたシートローラ（43）と、カバーシート（41）の他端を保持するとともにパネル部材（8）上で吹出口（7）に沿って可動に構成された保持部材（44）と、該保持部材（44）をパネル部材（8）に沿って移動させる駆動機構（45）とを備えていることを特徴としている。
【００１２】
この第３の発明では、駆動機構（45）によって保持部材（44）が吹出口（7）のパネル部材（8）上で吹出口（7）に沿って移動することにより、カバーシート（41）をシートローラ（43）から引き出して該カバーシート（41）で吹出口（7）を覆う状態と、カバーシート（41）をシートローラ（43）に巻き取ることで吹出口（7）が露出する状態とに変化させることができる。カバーシート（41）で吹出口（7）を覆う状態においては、カバーシート（41）にはテンション付与機構（46）によりテンションが与えられ、たるむのが防止される。
【００１３】
第４の発明は、第１乃至第３の発明の何れか１つにおいて、吸込口（6）を覆う吸込口用カバーシート（21，31）と、該カバーシート（21，31）によって吸込口（6）を開閉する吸込口開閉機構（20，30）とを備えていることを特徴としている。
【００１４】
この第４の発明では、吹出口（7）をカバーシート（41）で開閉するのに加えて、吸込口（6）もカバーシート（21，31）によって開閉される。
【００１５】
第５の発明は、第４の発明において、吸込口開閉機構（20）が、ケーシング（5）のパネル部材（8）に対して開閉する開閉板（22）を備え、該開閉板（22）の表面に吸込口用カバーシート（21）が貼られていることを特徴としている。
【００１６】
この第５の発明では、表面に吸込口用カバーシート（21）が貼られた開閉板（22）をケーシング（5）のパネル部材（8）に対して開閉させるだけで、吸込口（6）が開いた状態と、吸込口（6）が閉じた状態とを切り換えることができる。
【００１７】
第６の発明は、第４の発明において、吸込口用カバーシート（31）が吸込口（6）を覆うように張架され、吸込口開閉機構（30）が、該カバーシート（31）の一部を前方に突出させることにより該カバーシート（31）と吸込口（6）との間に空気の導入口を形成する押出機構（32）を備えていることを特徴としている。
【００１８】
この第６の発明では、吸込口用カバーシート（31）が吸込口（6）を覆うように張架された状態で吸込口（6）を塞ぐ一方で、押出機構（32）によりカバーシート（31）の一部を前方に突出させると吸込口（6）としての空気の導入口が形成される。
【発明の効果】
【００１９】
本発明によれば、運転停止時に上記パネル部材（8）に沿って吹出口（7）を覆う吹出口用カバーシート（41）と、運転時に該カバーシート（41）を巻き取って吹出口（7）を開口する巻き取り機構（42）とを有する吹出口開閉機構（40）を備えているので、ケーシング（5）のフラット化が容易で、且つ機構が簡単である。したがって、ケーシング（5）をシンプルでコンパクトにすることが容易である。
【００２０】
また、運転停止時に吹出口（7）をカバーシート（41）で覆うようにしているので、この空気処理装置を壁掛け型の空気調和装置にした場合などに、カバーシート（41）の質感を壁（壁紙）の質感に合わせることが容易で、インテリアとの一体感を出しやすくすることができる。つまり、空気調和装置などの意匠性を従来とは大幅に変えて、デザイン的にインパクトの大きな製品を実用化できる。
【００２１】
さらに、従来のプラスチックカバーをフロントパネルに用いていたものではインテリア性を向上させるためには塗装を行うことが必要不可欠であったが、本発明のものによれば少なくとも吹出口（7）のカバーについて塗装が不要となるため、コストダウンが可能となる。
【００２２】
上記第２の発明によれば、運転停止時にカバーシート（41）で吹出口（7）を覆った状態で、該カバーシート（41）にテンションを与えるテンション付与機構（46）を吹出口開閉機構（40）に設け、運転停止時に吹出口（7）を覆うカバーシート（41）がたるまずにピンと張った状態に維持されるようにしているので、パネル部材（8）にシート素材を用いたものでありながら、シートがたるむといったデザイン的な不具合が生じることはない。
【００２３】
上記第３の発明によれば、吹出口開閉機構（40）を、カバーシート（41）の一端が固定されて該カバーシート（41）を巻き取り可能なシートローラ（43）と、カバーシート（41）の他端を保持するとともに吹出口（7）のパネル部材（8）上で可動の保持部材（44）と、保持部材（44）をパネル部材（8）に沿って移動させる駆動機構（45）とを備えた構成にしているので、駆動機構（45）によってカバーシート（41）をシートローラ（43）に巻き取るか、シートローラ（43）から引き出すだけの簡単な操作で吹出口（7）を開閉できる。
【００２４】
上記第４の発明によれば、吸込口（6）を覆う吸込口用カバーシート（21，31）と、該カバーシート（21，31）によって吸込口（6）を開閉する吸込口開閉機構（20，30）とを設けたことにより、吹出口（7）をカバーシート（41）で開閉するのに加えて、吸込口（6）もカバーシート（21，31）によって開閉されるため、運転停止時には、ケーシング（5）のパネル部材（8）の大部分がカバーシート（吹出口用カバーシート（41）と吸込口用カバーシート（21，31））によって覆われることになる。そのため、この空気処理装置を壁掛け型の空気調和装置にした場合などに、カバーシート（21，31，41）の質感を壁（壁紙）の質感に合わせることがいっそう容易になり、インテリアとの一体感を出しやすくすることができる。その結果、従来品と比べて、よりいっそうデザイン的にインパクトの大きな製品を実用化できる。また、パネル部材（8）の大部分について塗装が不要となるので、さらにコストダウンをすることも可能となる。
【００２５】
上記第５の発明によれば、吸込口開閉機構（20）を、ケーシング（5）のパネル部材（8）に対して開閉する開閉板（22）により構成し、この開閉板（22）に吸込口用カバーシート（21）を貼るようにしているため、開閉板（22）をケーシング（5）のパネル部材（8）に対して開閉させるだけの簡単な機構の動きで吸込口（6）の開閉状態を切り換えることができる。
【００２６】
上記第６の発明によれば、吸込口（6）を覆うように吸込口用カバーシート（31）を張架する一方で、該カバーシート（31）の一部を前方に突出させることにより該カバーシート（31）と吸込口（6）との間に空気の導入口を形成する押出機構（32）を設けているので、押出機構（32）によりカバーシート（31）の一部を前方に突出させるだけの簡単な機構の動きで吸込口（6）の開閉状態を切り換えることができる。
【発明を実施するための最良の形態】
【００２７】
以下、本発明の実施形態を図面に基づいて詳細に説明する。
【００２８】
《発明の実施形態１》
本発明の実施形態１について説明する。この実施形態１は、壁掛け型の空気調和装置（室内機）（1）に関するものである。
【００２９】
図１（Ａ）は、この空気調和装置（1）の平面図、図１（Ｂ）は正面図、図１（Ｃ）は底面図である。また、図２（Ａ）は、この空気調和装置（1）の運転停止状態の斜視図、図２（Ｂ）は運転状態の斜視図である。
【００３０】
この空気調和装置（1）のケーシング（5）には、該ケーシング（5）内に空気を吸い込む吸込口（6）と該ケーシング（5）内で処理した空気を吹き出す吹出口（7）とを有するフロントパネル（パネル部材）(8)が設けられている。この空気調和装置（1）のフロントパネル（8）は、フラットなパネル状に構成されている。また、上記空気調和装置（1）は、上記吸込口（6）を開閉する吸込口開閉機構（20）と、上記吹出口（7）を開閉する吹出口開閉機構（40）を備えている。
【００３１】
図３は図１（Ｂ）のIII−III線断面図であり、図４（Ａ）は運転停止状態における図１（Ｂ）のIV−IV線断面図、図４（Ｂ）は運転状態における図１（Ｂ）のIV−IV線断面図である。この空気調和装置（1）には、吸込口（6）として、図４（Ｂ）に示す前面側吸込口（6a）に加えて、図１（Ａ）及び図３に示す上面側吸込口（6b）が設けられている。
【００３２】
そして、ケーシング（5）内には、前面側吸込口（6a）及び上面側吸込口（6b）からケーシング（5）内に室内空気を吸い込み、吹出口（7）から吹き出すためのクロスフローファン（10）と、前面側吸込口（6a）及び上面側吸込口（6b）からケーシング（5）内に吸い込まれた空気が通過する位置に配置された室内熱交換器（11）とが設けられている。この室内熱交換器（11）は、図示しない室外機の室外熱交換器や圧縮機と冷媒配管を介して接続されるものである。
【００３３】
上記ケーシング（5）内には、前面側吸込口（6a）及び上面側吸込口（6b）に沿うようにしてエアーフィルタ（12）が配置されている。また、ケーシング（5）内には、室内熱交換器（11）を通過した空気を吹出口（7）に向かって案内するための上部ガイド板（13）と下部ガイド板（14）が形成されている。なお、上部ガイド板（13）は、冷房運転時や除湿運転時に室内熱交換器（11）の表面で室内空気中の水分が凝縮して生じるドレン水を受けるドレンパン（15）と一体化されている。
【００３４】
次に、吸込口（6）の構成について説明する。この空気調和装置（1）は、吸込口（6）を覆う吸込口用カバーシート（21）と、該カバーシート（21）によって吸込口（6）を開閉する吸込口開閉機構（20）とを備えている。具体的には、吸込口開閉機構（20）は、ケーシング（5）のフロントパネル（8）に対して開閉する開閉板（22）を備え、該開閉板（22）の表面に吸込口用カバーシート（21）が貼られている。
【００３５】
上記開閉板（22）は、下端がヒンジ機構によりフロントパネル（8）に開閉可能に連結されている。この開閉板（22）の上端部の裏面側には、円弧状のラック（23）が設けられている。このラック（23）は、ケーシング（5）の左右両端側に一つずつ設けられている。また、ケーシング（5）の左右の側板には、それぞれ、各ラック（23）に噛み合うピニオン（24）が設けられている。ピニオン（24）の一方はモータの軸に固定された駆動ギヤであり、他方はケーシング（5）の側板に回転自在に支持された従動ギヤである。
【００３６】
なお、上記ラック（23）には、開閉板（22）の最大傾斜角度を決めるためのストッパ（25）が設けられ、図４（Ｂ）に示すようにその最大傾斜角度でケーシング（5）側のストッパ（2６）と当接するようになっている。
【００３７】
次に、吹出口（7）の構成について説明する。上記吹出口開閉機構（40）は、運転停止時に上記フロントパネル（8）に沿って吹出口（7）を覆う吹出口用カバーシート（41）と、運転時に該カバーシート（41）を巻き取って吹出口（7）を開口する巻き取り機構（42）とを備えている。具体的には、吹出口開閉機構（40）は、カバーシート（41）の一端を保持するとともに該カバーシート（41）を巻き取り可能で且つ吹出口（7）の一の側縁部（上縁部）に配置されたシートローラ（43）と、カバーシート（41）の他端を保持するとともにフロントパネル（8）上で吹出口（7）に沿って上下へ可動に構成された保持部材（44）と、該保持部材（44）をフロントパネル（8）に沿って移動させる駆動機構（45）とを備えている。
【００３８】
上記シートローラ（43）は、カバーシート（41）を常に巻き取る方向へ付勢するねじりコイルバネなどの付勢手段を介してケーシング（5）に保持されている。そして、この付勢手段が、運転停止時にカバーシート（41）で吹出口（7）を覆った状態で、該カバーシート（41）にテンションを与えるテンション付与機構（46）を構成している。
【００３９】
上記保持部材（44）の裏面の左右両端部には、Ｌ字型に屈曲したアーム（47）が設けられている。このアーム（47）は、保持部材（44）に連結された水平部（47a）と、該水平部（47a）の先端から屈曲した垂直部（47b）とからなり、垂直部（47b）はラック（48）により構成されている。また、ケーシング（5）の左右の側板には、それぞれ、各ラック（48）に噛み合うピニオン（49）が設けられている。ピニオン（49）の一方はモータの軸に固定された駆動ギヤであり、他方はケーシング（5）の側板に回転自在に支持された従動ギヤである。
【００４０】
一方、ケーシング（5）の前面側と下面側には風向調整用のフラップ（50）が設けられている。本実施形態では、これらのフラップ（50）が平板状であり、閉じた状態においてはケーシング（5）のパネル面の一部を構成している。各フラップ（50）には、フラップ駆動機構（51）が連結されている。そして、このフラップ駆動機構（51）によりフラップ（50）の向きを変えることにより、調和空気を室内へ任意の向きで吹き出すことが可能になっている。
【００４１】
−運転動作−
次に、この空気調和装置（1）の運転動作について説明する。
【００４２】
空気調和装置（1）の運転停止時には、図２（Ａ），図３，及び図４（Ａ）に示すように、吸込口（6）及び吹出口（7）のいずれも閉じた状態となり、ファンも停止し、室内熱交換器（11）における冷媒の流れも停止する。このとき、吹出口（7）のフラップ（50）も閉じており、ケーシング（5）は全体としてフラットで薄型の外観を呈している。また、このとき、ケーシング（5）のフロントパネル（8）は、大部分が、吸込口（6）を覆っている開閉板（22）の吸込口用カバーシート（21）と、吹出口（7）を覆っている吹出口用カバーシート（41）とにより構成された状態となっている。
【００４３】
空気調和装置（1）の運転時には、図４（Ａ）において、開閉板（22）のラック（23）と噛み合ったピニオン（24）が図の反時計回り方向へ回転し、保持部材（44）のアーム（47）を構成するラック（48）と噛み合ったピニオン（49）が図の時計回り方向へ回転する。こうすることにより、開閉板（22）がヒンジ部を支点として傾斜することにより開くとともに、保持板がフロントパネル（8）の吹出口（7）に沿って上方へスライドして、図２（Ｂ）及び図４（Ｂ）の状態となる。このとき、吹出口（7）のフラップ（50）は、フラップ駆動機構（51）によって空気の吹出方向に沿った向きに制御される。
【００４４】
この状態で、クロスフローファン（10）が回転し、且つ、室内熱交換器（11）には冷媒が流れる。したがって、冷房運転時には、ケーシング（5）内に吸い込まれてから室内熱交換器（11）を通過する際に冷却された冷たい空気が室内に吹き出され、暖房運転時には、ケーシング（5）内に吸い込まれてから室内熱交換器（11）を通過する際に加熱された暖かい空気が室内に吹き出される。
【００４５】
−実施形態１の効果−
この実施形態によれば、運転停止時に上記フロントパネル（8）に沿って吹出口（7）を覆う吹出口用カバーシート（41）と、運転時に該カバーシート（41）を巻き取って吹出口（7）を開口する巻き取り機構（42）とを有する吹出口開閉機構（40）を備えているので、ケーシング（5）のフラット化が容易で、且つ機構が簡単であるため、ケーシング（5）をシンプルでコンパクトにすることが容易である。
【００４６】
また、運転停止時に吹出口（7）をカバーシート（41）で覆うようにしているので、壁掛け型の空気調和装置（1）において、カバーシート（41）の質感を壁（壁紙）の質感に合わせることが容易で、インテリアとの一体感を出しやすくすることができる。つまり、空気調和装置（1）などの意匠性を従来とは大幅に変えて、デザイン的にインパクトの大きな製品を実用化できる。
【００４７】
また、運転停止時には、カバーシート（41）で吹出口（7）を覆った状態で、該カバーシート（41）にテンションを与えるテンション付与機構（46）を吹出口開閉機構（40）に設け、運転停止時に吹出口（7）を覆うカバーシート（41）がたるまずにピンと張った状態に維持されるようにしているので、フロントパネル（8）にシート素材を用いたものでありながら、シートがたるむといったデザイン的な不具合が生じることはない。
【００４８】
さらに、吹出口開閉機構（40）を、カバーシート（41）の一端が固定されて該カバーシート（41）を巻き取り可能なシートローラ（43）と、カバーシート（41）の他端を保持するとともに吹出口（7）のフロントパネル（8）上で可動の保持部材（44）と、保持部材（44）をフロントパネル（8）に沿って移動させる駆動機構（45）とを備えた構成にしているので、駆動機構（45）によってカバーシート（41）をシートローラ（43）に巻き取るか、シートローラ（43）から引き出すだけの簡単な操作で吹出口（7）を開閉できる。
【００４９】
また、この実施形態では、吸込口（6）を覆う吸込口用カバーシート（21）と、該カバーシート（21）によって吸込口（6）を開閉する吸込口開閉機構（20）とを設けたことにより、吹出口（7）をカバーシート（41）で開閉するのに加えて、吸込口（6）もカバーシート（21）によって開閉されるため、運転停止時には、ケーシング（5）のフロントパネル（8）の大部分がカバーシート（吹出口用カバーシート（41）と吸込口用カバーシート（21））によって覆われることになる。そのため、壁掛け型の空気調和装置（1）において、カバーシート（21，41）の質感を壁（壁紙）の質感に合わせることがいっそう容易になり、インテリアとの一体感を出しやすくすることができる。その結果、従来品と比べて、よりいっそうデザイン的にインパクトの大きな製品を実用化できる。
【００５０】
さらに、吸込口開閉機構（20）については、ケーシング（5）のフロントパネル（8）に対して開閉する開閉板（22）により構成し、この開閉板（22）に吸込口用カバーシート（21）を貼るようにしているため、開閉板（22）をケーシング（5）のフロントパネル（8）に対して開閉させるだけの簡単な機構の動きで吸込口（6）の開閉状態を切り換えることができる。
【００５１】
−実施形態１の変形例−
本実施形態では、吸込口（6）を開閉する開閉板（22）にもカバーシート（吸込口用カバーシート（21））を貼るようにしているが、吸込口用カバーシート（21）は必ずしも設けなくてもよい。この場合、開閉板（22）をプラスチックパネルにしておくと、吹出口（7）のカバーシート（41）との質感の相違を利用して、コントラストのある独特のデザインをすることも可能となる。
【００５２】
《発明の実施形態２》
本発明の実施形態２について説明する。実施形態２は、実施形態１とは吸込口（6）の構成が異なるようにした例である。なお、吹出口（7）など、吸込口（6）を除く部分の構成については実施形態１と同様であるため、ここでは説明を省略する。
【００５３】
この空気調和装置（1）は、吸込口（6）を覆う吸込口用カバーシート（21，31）と、該カバーシート（21，31）によって吸込口（6）を開閉する吸込口開閉機構（20，30）とを備えている。具体的には、上記吸込口（6）には、上側に位置する第１の吸込口開閉機構（20）と、下側に位置する第２の吸込口開閉機構（30）とが設けられている。なお、第１の吸込口開閉機構（20）は、実施形態１の吸込口開閉機構（20）と同じ構成であるため、同じ符号を使用する。
【００５４】
第１の吸込口開閉機構（20）は、前面側吸込口（6a）の上側部分を開閉するものであって、ケーシング（5）のフロントパネル（8）に対して開閉する開閉板（22）を備え、該開閉板（22）の表面に吸込口用カバーシート（21）が貼られている。上記開閉板（22）は、下端がヒンジ機構によりフロントパネル（8）に開閉可能に連結されている。この開閉板（22）の上端部の裏面側には、円弧状のラック（23）が設けられている。このラック（23）は、ケーシング（5）の左右両端側に一つずつ設けられている。また、ケーシング（5）の左右の側板には、それぞれ、各ラック（23）に噛み合うピニオン（24）が設けられている。ピニオン（24）の一方はモータの軸に固定された駆動ギヤであり、他方はケーシング（5）の側板に回転自在に支持された従動ギヤである。
【００５５】
なお、上記ラック（23）には、開閉板（22）の最大傾斜角度を決めるためのストッパ（25）が設けられ、その際大傾斜角度でケーシング（5）側のストッパ（26）と当接するようになっている。
【００５６】
第２の吸込口開閉機構（30）は、吸込口用カバーシート（31）が前面側吸込口（6a）の下側部分を覆うように張架され、該カバーシート（31）の一部をフロントパネル（8）の前方に押し出して突出させることにより該カバーシート（31）と吸込口（6）との間に空気の導入口を形成する押出機構（空気導入口形成機構）（32）を備えている。
【００５７】
上記カバーシート（31）は、一端がフロントパネル（8）における下側の吸込口（6）の一方（上方）の側縁部に固定され、カバーシート（31）の他端が固定されるとともに該カバーシート（31）を巻き取り可能なシートローラ（33）が該吸込口（6）の他方（下方）の側縁部に配置されている。そして、押出機構（32）は、ケーシング（5）の内部からフロントパネル（8）の前方へ向かってカバーシート（31）を押し出すように構成されている。
【００５８】
具体的には、上記押出機構（32）として、ケーシング（5）のフロントパネル（8）と直角な方向へ進退する押出ロッド（34）がケーシング（5）の左右の側板の近傍に一つずつ設けられ、押出ロッド（34）はラック（35）により構成されている。各ラック（35）にはピニオン（36）が噛み合い、一方のピニオン（36）はモータで駆動される駆動側ギヤで、他方のピニオン（36）は回転自在の従動側ギヤになっている。
【００５９】
上記シートローラ（33）は、カバーシート（31）を常に巻き取る方向の付勢力を与えるため、ねじりコイルバネなどの付勢手段がテンション付与機構（37）として設けられている。このテンション付与機構（37）により、運転停止時にカバーシート（31）で吸込口（6）を覆った状態で、該カバーシート（31）にテンションが与えられ、カバーシート（31）がピンと張った状態に維持される。
【００６０】
以上の構成により、この実施形態では、吸込口（6）の下側部分に張架されたカバーシート（31）の一部を前方へ山形に押し出して左右両縁部に吸込口（6）への空気の導入口を形成する一方、吸込口（6）の上側部分をケーシング（5）のフロントパネル（8）に対して開閉する開閉板（22）を設けたことにより、この開閉板（22）の開口部分にも吸込口（6）への空気の導入口が形成される。
【００６１】
−運転動作−
次に、この空気調和装置（1）の運転動作について説明する。
【００６２】
空気調和装置（1）の運転停止時には、図６（Ａ），図７，及び図８（Ａ）に示すように、吸込口（6）及び吹出口（7）のいずれも閉じた状態となり、ファンも停止し、室内熱交換器（11）における冷媒の流れも停止する。このとき、吹出口（7）のフラップ（50）も閉じており、ケーシング（5）は全体としてフラットで薄型の外観を呈している。また、このとき、ケーシング（5）のフロントパネル（8）は、大部分が、吸込口（6）を覆っている吸込口用カバーシート（21，31）と、吹出口（7）を覆っている吹出口用カバーシート（41）とにより構成された状態となっている。
【００６３】
空気調和装置（1）の運転時には、図８（Ａ）において、開閉板（22）のラック（23）と噛み合ったピニオン（24）が図の反時計回り方向へ回転し、押出ロッド（34）のラック（35）と噛み合ったピニオン（36）が図の反時計回り方向へ回転し、さらに、保持部材（44）のアーム（47）を構成するラック（48）と噛み合ったピニオン（49）が図の時計回り方向へ回転する。こうすることにより、第１の吸込口開閉機構（20）において開閉板（22）がヒンジ部を支点として傾斜することにより開くとともに、第２の吸込口開閉機構（30）においてカバーシート（31）が前方へ山形に突出してその左右の端部に吸込口（6）への空気の導入口が形成される。また、吹出口（7）に関しては、保持板（44）がフロントパネル（8）の吹出口（7）に沿って上方へスライドして、図６（Ｂ）及び図８（Ｂ）の状態となる。また、このとき、吹出口（7）のフラップ（50）は、フラップ駆動機構（51）によって空気の吹出方向に沿った向きに制御される。
【００６４】
この状態で、クロスフローファン（10）が回転し、且つ、室内熱交換器（11）には冷媒が流れる。したがって、冷房運転時には、ケーシング（5）内に吸い込まれてから室内熱交換器（11）を通過する際に冷却された冷たい空気が室内に吹き出され、暖房運転時には、ケーシング（5）内に吸い込まれてから室内熱交換器（11）を通過する際に加熱された暖かい空気が室内に吹き出される。
【００６５】
−実施形態２の効果−
この実施形態２においても、実施形態１と同様に、運転停止時に上記フロントパネル（8）に沿って吹出口（7）を覆う吹出口用カバーシート（41）と、運転時に該カバーシート（41）を巻き取って吹出口（7）を開口する巻き取り機構（42）とを有する吹出口開閉機構（40）を備えているので、ケーシング（5）のフラット化が容易で、且つ機構が簡単であるため、ケーシング（5）をシンプルでコンパクトにすることが容易である。
【００６６】
また、運転停止時に吹出口（7）をカバーシート（41）で覆うようにしているので、壁掛け型の空気調和装置（1）において、カバーシート（41）の質感を壁（壁紙）の質感に合わせることが容易で、インテリアとの一体感を出しやすくすることができる。つまり、空気調和装置（1）などの意匠性を従来とは大幅に変えて、デザイン的にインパクトの大きな製品を実用化できる。
【００６７】
また、運転停止時には、カバーシート（41）で吹出口（7）を覆った状態で、該カバーシート（41）にテンションを与えるテンション付与機構（46）を吹出口開閉機構（40）に設け、運転停止時に吹出口（7）を覆うカバーシート（41）がたるまずにピンと張った状態に維持されるようにしているので、フロントパネル（8）にシート素材を用いたものでありながら、シートがたるむといったデザイン的な不具合が生じることはない。
【００６８】
さらに、吹出口開閉機構（40）を、カバーシート（41）の一端が固定されて該カバーシート（41）を巻き取り可能なシートローラ（33）と、カバーシート（41）の他端を保持するとともに吹出口（7）のフロントパネル（8）上で可動の保持部材（44）と、保持部材（44）をフロントパネル（8）に沿って移動させる駆動機構（45）とを備えた構成にしているので、駆動機構（45）によってカバーシート（41）をシートローラ（33）に巻き取るか、シートローラ（33）から引き出すだけの簡単な操作で吹出口（7）を開閉できる。
【００６９】
また、この実施形態においても、吸込口（6）を覆う吸込口用カバーシート（21，31）と、該カバーシート（21，31）によって吸込口（6）を開閉する吸込口開閉機構（20，30）とを設けたことにより、吹出口（7）をカバーシート（41）で開閉するのに加えて、吸込口（6）もカバーシート（21，31）によって開閉されるため、運転停止時には、ケーシング（5）のフロントパネル（8）の大部分がカバーシート（吹出口用カバーシート（41）と吸込口用カバーシート（21，31））によって覆われることになる。そのため、壁掛け型の空気調和装置（1）において、カバーシート（21，31，41）の質感を壁（壁紙）の質感に合わせることがいっそう容易になり、インテリアとの一体感を出しやすくすることができる。その結果、従来品と比べて、よりいっそうデザイン的にインパクトの大きな製品を実用化できる。
【００７０】
さらに、第２の吸込口開閉機構（30）については、吸込口（6）の下側部分を覆うように吸込口用カバーシート（31）を張架する一方で、該カバーシート（31）の一部を前方に突出させることにより該カバーシート（31）と吸込口（6）との間に空気の導入口を形成する押出機構（32）を設けているので、押出機構（32）によりカバーシート（31）の一部を前方に突出させるだけの簡単な機構の動きで吸込口（6）の開閉状態を切り換えることができる。また、第１の吸込口開閉機構（20）については、ケーシング（5）のフロントパネル（8）に対して開閉する開閉板（22）を設け、この開閉板（22）に吸込口用カバーシート（21）を貼るようにしているため、開閉板（22）をケーシング（5）のフロントパネル（8）に対して開閉させるだけの簡単な機構の動きで吸込口（6）の開閉状態を切り換えることもできる。
【００７１】
また、この実施形態では、運転時に吸込口（6）のカバーシート（21，31）が波打った状態となり、運転停止時とは全く異なる形態を呈する。したがって、室内にいる人は空気調和装置（1）のこの状態を見るだけで装置が運転中であることを認識できる。例えば、「強」で運転しているときに突出量を大きくし、「弱」で運転しているときに突出量を小さくすると、その運転状態まで一目で認識可能となる。
【００７２】
−実施形態２の変形例−
この実施形態２では、第１の吸込口開閉機構（20）と第２の吸込口開閉機構（30）とを設けているが、第１の吸込口開閉機構（20）を設けずに第２の吸込口開閉機構（30）を吸込口（6）の全体にわたって一つだけ設けてもよい。このようにしても、上記実施形態２とほぼ同様の作用効果を奏することが可能となる。
【００７３】
また、第１の吸込口開閉機構（20）と第２の吸込口開閉機構（30）を組み合わせる代わりに、第２の吸込口開閉機構（30）を上下に２つ並べて配置してもよい。
【００７４】
《その他の実施形態》
上記実施形態については、以下のような構成としてもよい。
【００７５】
上記各実施形態では、壁掛け式の空気調和装置（1）に本発明の空気処理装置を適用した例について説明したが、本発明の適用対象は壁掛け式の空気調和装置（1）に限らず、空気浄化装置など、他の空気処理装置であってもよい。
【００７６】
また、上記各実施形態において、吸込口開閉機構（20，30）にも、吹出口開閉機構（40）と同様の巻き取り式の開閉機構を利用することが可能である。
【００７７】
なお、以上の実施形態は、本質的に好ましい例示であって、本発明、その適用物、あるいはその用途の範囲を制限することを意図するものではない。
【産業上の利用可能性】
【００７８】
以上説明したように、本発明は、壁掛け式の空気調和装置（1）などの空気処理装置について有用である。
【図面の簡単な説明】
【００７９】
【図１】（Ａ）は本発明の実施形態１に係る空気調和装置の平面図、（Ｂ）は正面図、（Ｃ）は底面図である。
【図２】（Ａ）はこの空気調和装置の運転停止状態の斜視図、Ｂ）は運転状態の斜視図である。
【図３】図１（Ｂ）のIII−III線断面図である。
【図４】（Ａ）は運転停止状態における図１（Ｂ）のIV−IV線断面図、（Ｂ）は運転状態における図１（Ｂ）のIV−IV線断面図である。
【図５】（Ａ）は本発明の実施形態２に係る空気調和装置の平面図、（Ｂ）は正面図、（Ｃ）は底面図である。
【図６】（Ａ）はこの空気調和装置の運転停止状態の斜視図、Ｂ）は運転状態の斜視図である。
【図７】図５（Ｂ）のVII−VII線断面図である。
【図８】（Ａ）は運転停止状態における図５（Ｂ）のVIII−VIII線断面図、（Ｂ）は運転状態における図１（Ｂ）のVIII−VIII線断面図である。
【符号の説明】
【００８０】
10  ケーシング
11  吸込口
12  吹出口
13  フロントパネル（パネル部材）
20  吸込口開閉機構
21  吸込口用カバーシート
22  開閉板
30  吸込口開閉機構
31  吸込口用カバーシート
32  押出機構
40  吹出口開閉機構
41  吹出口用カバーシート
42  巻き取り機構
43  シートローラ
44  保持部材
45  駆動機構
46  テンション付与機構
【図１】
2006234335.tif 000003
【図２】
2006234335.tif 000004
【図３】
2006234335.tif 000005
【図４】
2006234335.tif 000006
【図５】
2006234335.tif 000007
【図６】
2006234335.tif 000008
【図７】
2006234335.tif 000009
【図８】
2006234335.tif 000010